(57)【特許請求の範囲】
【請求項１】
フェルールが挿入されるレセプタクルと、
前記レセプタクルを本体に連結する連結体と、を備え、
前記連結体は、前記本体に固定されるベース部と、前記ベース部から突出する複数の突出部と、を備え、
前記突出部は、前記レセプタクルを保持するように前記レセプタクルに接する保持部と、前記レセプタクルとの間に介在される接着剤により、前記レセプタクルに固定される接着部とを備える、ファイバ接続ユニットであって、
前記突出部は、板状に形成され、且つ、屈曲部分を有するように構成され、
前記保持部は、前記突出部の前記屈曲部分の頂部であって凸状に形成され、さらに、前記レセプタクルの外周部と接し、
前記接着部は、前記保持部に隣接して配置されるファイバ接続ユニット。
【請求項２】
前記突出部は、前記保持部が前記レセプタクルの外周部に加圧して接するように、弾性を有して形成される請求項１に記載のファイバ接続ユニット。
【請求項３】
前記突出部は、３つ以上備えられる請求項１又は２に記載のファイバ接続ユニット。
【請求項４】
光を出射する光源部と、
請求項１〜３の何れか１項に記載のファイバ接続ユニットと、を備え、
前記レセプタクルは、前記光源部から出射される光が前記フェルールに保持される光ファイバに入射するように、前記本体に固定される光源装置。
【請求項５】
請求項１〜３の何れか１項に記載のファイバ接続ユニットの製造方法であって、
前記保持部が前記レセプタクルを保持するように、前記保持部を前記レセプタクルの外周部に接させる工程と、
前記保持部が前記レセプタクルを保持した状態で、前記接着部と前記レセプタクルとの間に接着剤を塗布する工程と、
前記接着剤を硬化させる工程と、を含むファイバ接続ユニットの製造方法。
【発明の詳細な説明】
【技術分野】
【０００１】
本発明は、フェルールが挿入されるレセプタクルを備えるファイバ接続ユニットに関し、また、そのファイバ接続ユニットを備える光源装置に関する。
【背景技術】
【０００２】
従来、ファイバ接続ユニットとして、フェルールが挿入されるレセプタクルを備えるファイバ接続ユニットが、知られている（例えば、特許文献１）。斯かる構成においては、例えば、レセプタクルは、接着剤により、本体のレンズホルダに固定されている。
【０００３】
ところで、接着剤は、例えば硬化することに伴って、収縮する。これにより、レセプタクルを本体に対して所望の位置で位置合わせた後に、接着剤を硬化させてレセプタクルを本体に固定した場合、レセプタクルが所望の位置からずれることがある。
【先行技術文献】
【特許文献】
【０００４】
【特許文献１】特開平８−４３６９２号公報
【発明の概要】
【発明が解決しようとする課題】
【０００５】
よって、本発明は、斯かる事情に鑑み、接着剤を用いて、レセプタクルを位置ずれさせることなく固定することができるファイバ接続ユニット及び光源装置を提供することを課題とする。
【課題を解決するための手段】
【０００６】
本発明に係るファイバ接続ユニットは、フェルールが挿入されるレセプタクルと、前記レセプタクルを本体に連結する連結体と、を備え、前記連結体は、前記本体に固定されるベース部と、前記ベース部から突出する複数の突出部と、を備え、前記突出部は、前記レセプタクルを保持するように前記レセプタクルに接する保持部と、前記レセプタクルとの間に介在される接着剤により、前記レセプタクルに固定される接着部とを備える。
【０００７】
本発明に係るファイバ接続ユニットによれば、連結体は、本体に固定されるベース部と、ベース部から突出する複数の突出部とを備えている。該突出部の保持部は、レセプタクルに接することにより、レセプタクルを保持している。そして、該突出部の接着部は、レセプタクルとの間に介在される接着剤により、レセプタクルに固定されている。
【０００８】
これにより、連結体は、フェルールが挿入されるレセプタクルを、本体に連結している。したがって、接着剤が、例えば硬化することに伴って、収縮しようとしても、保持部が、レセプタクルに接することにより、レセプタクルを保持しているため、レセプタクルを位置ずれさせることなく本体に固定することができる。
【０００９】
また、本発明に係るファイバ接続ユニットにおいては、前記保持部は、凸状に形成され、前記接着部は、前記保持部に隣接して配置される、という構成でもよい。
【００１０】
斯かる構成によれば、保持部が凸状に形成されているため、保持部に隣接して配置される部分は、レセプタクルとの間に隙間を有する。そして、当該隙間に接着剤を入れることで、保持部に隣接して配置される部分は、接着部となって、レセプタクルと接着される。これにより、保持部に隣接する接着部がレセプタクルに固定されるため、保持部がレセプタクルに対して位置ずれすることを抑制できる。
【００１１】
また、本発明に係るファイバ接続ユニットにおいては、前記突出部は、前記保持部が前記レセプタクルに加圧して接するように、弾性を有して形成される、という構成でもよい。
【００１２】
斯かる構成によれば、突出部が弾性を有して形成されているため、保持部は、レセプタクルに加圧して接する。これにより、例えば、突出部がレセプタクルを挟持して保持することができる。また、例えば、突出部を弾性変形させることにより、レセプタクルを本体に対して所望の位置で位置合わせすることができるため、当該位置合わせの作業を簡素化することができる。
【００１３】
また、本発明に係るファイバ接続ユニットにおいては、前記突出部は、３つ以上備えられる、という構成でもよい。
【００１４】
斯かる構成によれば、突出部が３つ以上備えられているため、レセプタクルは、３つ以上の保持部に接されて保持される。これにより、レセプタクルを保持部で確実に保持することができる。また、レセプタクルを本体に対して所望の位置及び角度で位置合わせすることができる。
【００１５】
また、本発明に係る光源装置は、光を出射する光源部と、前記のファイバ接続ユニットと、を備え、前記レセプタクルは、前記光源部から出射される光が前記フェルールに保持される光ファイバに入射するように、前記本体に固定される。
【発明の効果】
【００１６】
以上の如く、本発明は、接着剤を用いて、レセプタクルを位置ずれさせることなく固定することができるという優れた効果を奏する。
【図面の簡単な説明】
【００１７】
【図１】本発明の一実施形態に係る光源装置の全体斜視図である。
【図２】同実施形態に係る光源装置の要部平面図である。
【図３】同実施形態に係る光源装置の要部横断面図である。
【図４】同実施形態に係る光源装置の要部正面図である。
【図５】同実施形態に係る連結体の全体正面図である。
【図６】同実施形態に係る連結体の左側面図である。
【図７】同実施形態に係る光源装置の要部正面図であって、レセプタクルを本体に固定する方法を説明する図である。
【図８】同実施形態に係る光源装置の要部正面図であって、レセプタクルを本体に固定する方法を説明する図である。
【図９】同実施形態に係る光源装置の要部正面図であって、レセプタクルを本体に固定する方法を説明する図である。
【図１０】同実施形態に係る光源装置の要部正面図であって、図９のＸ領域の拡大図である。
【図１１】同実施形態に係る光源装置の要部正面図であって、レセプタクルを本体に固定する方法を説明する図である。
【図１２】比較例に係る光源装置の要部の一部縦断面図である。
【図１３】本発明に係る光源装置の位置ずれ量を示すグラフである。
【図１４】比較例に係る光源装置の位置ずれ量を示すグラフである。
【図１５】本発明の他の実施形態に係る連結体の全体正面図である。
【図１６】本発明のさらに他の実施形態に係る光源装置の要部拡大正面図である。
【発明を実施するための形態】
【００１８】
以下、本発明に係るファイバ接続ユニット及び光源装置の一実施形態について、図１〜図１４を参酌して説明する。なお、各図（図１５及び図１６も同様）において、図面の寸法比と実際の寸法比とは、必ずしも一致していない。
【００１９】
図１〜図３に示すように、本実施形態に係る光源装置１は、光を出射する光源部２と、光源部２から出射された光が入射される光学系３と、光源部２及び光学系３を固定する本体４とを備えている。また、光源装置１は、光学系３から出射された光が入射される光ファイバ５１を有する光ファイバ体５を備えている。
【００２０】
光源装置１は、光ファイバ体５が挿入されるレセプタクル６と、レセプタクル６を本体４に連結する連結体７とを備えている。なお、光源装置１は、連結体７を本体４に固定するための部材１１を備えており、本実施形態においては、該部材１１は、ネジ部材１１としているが、斯かる構成に限られない。また、レセプタクル６及び連結体７を有する構造体は、光ファイバ体５を本体４に接続するためのファイバ接続ユニット１０という。
【００２１】
光源部２は、レーザ光を出射する複数の半導体レーザ２１と、半導体レーザ２１から出射されたレーザ光が入射され、該光を平行な光にして光学系３に向けて出射するコリメータレンズ２２とを備えている。本実施形態においては、半導体レーザ２１及びコリメータレンズ２２は、７つずつ備えられている（図２においては、それぞれ２つのみ図示している）。
【００２２】
光学系３は、光源部２から出射された光を反射する複数の反射部材３１と、反射部材３１で反射された光が入射され、該光を収束させて光ファイバ５１に向けて出射する収束レンズ３２とを備えている。本実施形態においては、反射部材３１は、半導体レーザ２１及びコリメータレンズ２２に対応して７つ備えられ、収束レンズ３２は、１つ備えられている。
【００２３】
本体４は、光源部２を保持する光源ホルダ４１と、反射部材３１を支持する支持部４２と、収束レンズ３２を保持するレンズホルダ４３とを備えている。なお、本体４は、図１及び図２において、２つの側壁（光源ホルダ４１、レンズホルダ４３）と底壁（支持部４２）とのみ図示しているが、本実施形態においては、筐体である。
【００２４】
光源ホルダ４１は、複数の半導体レーザ２１を挟持して保持する一対の板状部４１ａ，４１ｂを備えている。また、光源ホルダ４１と、一方の板状部４１ａから突出する筒状部４１ｃを複数備えており、該各筒状部４１ｃは、内部にコリメータレンズ２２を収容して保持している。
【００２５】
支持部４２は、平板状に形成されており、各反射部材３１は、支持部４２に載置されている。レンズホルダ４３は、光が通過するための孔部４３ａを備えており、収束レンズ３２を孔部４３ａに収容して保持している。なお、本体４（光源ホルダ４１、支持部４２、レンズホルダ４３）は、例えば接着剤等により、光源部２（半導体レーザ２１、コリメータレンズ２２）及び光学系３（反射部材３１、収束レンズ３２）を固定している。
【００２６】
光ファイバ体５は、光ファイバ５１の端部を内部で保持する筒状のフェルール５２を備えている。そして、光ファイバ体５は、光ファイバ５１を内部に収容する保護管５３と、フェルール５２と保護管５３とを接続するスリーブ５４とを備えている。また、光ファイバ体５は、フェルール５２をレセプタクル６に固定すべく、レセプタクル６に係合するファイバ係合部５５を備えている。
【００２７】
フェルール５２は、軸線方向の中途部の外周部から径方向外方に突出するフランジ部５２ａを備えている。該フランジ部５２ａは、先端側がレセプタクル６の先端部に当たることで、レセプタクル６に対するフェルール５２の位置決めを行える。そして、光ファイバ体５は、本体４に固定されるレセプタクル６に挿入されたフェルール５２がレセプタクル６に対して位置決めされることで、光源部２から光学系３を経由して出射される光がフェルール５２に保持される光ファイバ５１に入射される。
【００２８】
ファイバ係合部５５は、筒状に形成されている。そして、ファイバ係合部５５は、フェルール５２に挿入されている。なお、ファイバ係合部５５は、フランジ部５２ａの基端側に係止されることにより、フェルール５２から抜けることを防止されている。
【００２９】
レセプタクル６は、図３及び図４に示すように、基端側に配置される大径のレセプタ本体６１と、先端側に配置され、ファイバ係合部５５と係合する小径のレセプタ係合部６２とを備えている。また、レセプタクル６は、フェルール５２が先端側から挿入される挿入部６３と、光学系３から出射された光が基端側から入る光路部６４とを備えている。
【００３０】
レセプタ係合部６２の外周部は、ファイバ係合部５５の内周部と係合する。具体的には、レセプタ係合部６２は、外周部に雄ネジを備え、ファイバ係合部５５は、内周部に雌ネジを備えている。そして、レセプタ係合部６２とファイバ係合部５５とは、螺合することにより、互いに固定されている。これにより、フランジ部５２ａの先端側は、レセプタクル６の先端部に当たり、フランジ部５２ａの基端側は、ファイバ係合部５５に当たっている。
【００３１】
連結体７は、図３〜図６に示すように、ネジ部材１１により本体４に固定されるベース部７１と、ベース部７１から突出する複数の突出部７２とを備えている。本実施形態においては、突出部７２は、３つ備えられている。なお、突出部７２は、２つ備えられてもよく、４つ以上備えられてもよい。
【００３２】
ベース部７１は、環状で且つ平板状に形成されている。ベース部７１の内径は、ベース部７１が光学系３３から出射した光を遮光することを防止すべく、レンズホルダ４３の孔部４３ａの内径よりも大きい。また、ベース部７１は、ネジ部材１１が挿通される複数の開口部７１ａを備えている。
【００３３】
複数の突出部７２は、互いに同じ形状であって、ベース部７１の周方向で等間隔となるように、ベース部７１の内周部から突出している。そして、突出部７２は、ベース部７１から突出する突出部本体７２ａと、レセプタクル６を保持するようにレセプタクル６に接する保持部７２ｂと、レセプタクル６との間に介在される接着剤８により、レセプタクル６に固定される接着部７２ｃとを備えている。
【００３４】
保持部７２ｂは、凸状に形成され、接着部７２ｃは、保持部７２ｂの先端側に隣接して配置されている。また、接着部７２ｃは、保持部７２ｂがレセプタクル６の外周部と接する際に、レセプタクル６の外周部との間に隙間を有するように、保持部７２ｂから外方に広がるように形成されている。即ち、突出部７２は、平板状部材が先端側で屈曲するようにして形成され、保持部７２ｂは、屈曲部分の頂部であって、突出部本体７２ａは、屈曲部分から基端側の部分であって、接着部７２ｃは、屈曲部分から先端側の部分である。
【００３５】
突出部７２は、保持部７２ｂがレセプタクル６のレセプタ本体６１の外周部に加圧して接するように、弾性を有して形成されている。そして、複数の突出部７２，７２，７２は、復元している際に、保持部７２ｂ，７２ｂ，７２ｂ同士の内接円の径がレセプタクル６のレセプタ本体６１の外径よりも小さくなるように、配置されている。
【００３６】
本実施形態においては、連結体７は、金属で形成されている。具体的には、連結体７は、円環状部分と該部分から内方に突出する３つの突出片を有する形状に型抜きされた金属板に対して、該突出片の２箇所を屈曲することで、形成されている。斯かる屈曲部分の一方は、ベース部７１と突出部本体７２ａとの境界部分に成り、他方は、保持部７２ｂに成る。そして、突出部本体７２ａは、弾性変形できる。なお、連結体７は、硬質樹脂で形成されていてもよい。
【００３７】
接着剤８は、本実施形態においては、レセプタクル６を連結体７に仮固定するために、熱硬化性の接着剤成分に、紫外線硬化性樹脂を添加したものとしている。ここで、仮固定とは、接着剤８が完全に硬化する（即ち、レセプタクル６が連結体７に本固定される）までの間に、完全に硬化する前の接着剤８により、レセプタクル６が連結体７に対して不動に固定されることをいう。なお、接着剤８は、レセプタクル６が連結体７に仮固定から本固定される間に、体積を変化（収縮）させる。
【００３８】
本実施形態に係る光源装置１の構成については以上の通りであり、次に、本実施形態に係る光源装置１の製造方法の一例について、図７〜図１１を参酌して説明する。
【００３９】
まず、図７に示すように、本体４のレンズホルダ４３に固定されている連結体７と、光ファイバ体５に固定されているレセプタクル６とが準備されている。このとき、レセプタクル６は、光ファイバ体５のファイバ係合部５５を把持する把持具１２により移動される。
【００４０】
図８に示すように、レセプタクル６が連結体７に接近するように移動されることにより、複数の突出部７２は、外方に広がるように弾性変形し、レセプタクル６の外周部に接する。このとき、突出部７２は、内方に向けた弾性復元力が作用するため、レセプタクル６の外周部に加圧して接している。そして、例えば、光源部２から光を出射させて、光ファイバ５１に入射される光量を測定し、光量が一番大きくなるように、本体４に対するレセプタクル６の位置及び角度が決められる。
【００４１】
レセプタクル６が本体４に対して位置決めされた状態で、図９及び図１０に示すように、吐出装置１３は、突出部７２の先端側から、突出部７２とレセプタクル６との隙間に向けて、接着剤８を吐出する。これにより、保持部７２ｂは、レセプタクル６の外周部に接しており、また、接着部７２ｃは、レセプタクル６の外周部との間に、接着剤８を介在している。
【００４２】
そして、把持具１２で光ファイバ体５を把持した状態で、紫外線が接着剤８に照射されため、接着剤８の露出している部分が硬化される。これにより、レセプタクル６が連結体７に仮固定される。即ち、本実施形態においては、仮固定は、レセプタクル６と連結体７との間から露出した接着剤８のみを硬化させる工程である。
【００４３】
その後、図１１に示すように、光ファイバ体５がレセプタクル６から取り外され、本体４が搭載物２，３，６，７ごと加熱用オーブンに投入される。そして、接着剤８が熱硬化されて完全に硬化されるため、レセプタクル６が連結体７に本固定される。即ち、本実施形態においては、本固定は、露出した部分だけでなく、接着剤８の全体を硬化させる工程である。
【００４４】
このとき、接着剤８は、熱収縮する。しかしながら、保持部７２ｂが、レセプタクル６に接することにより、レセプタクル６を保持している。したがって、レセプタクル６が本体４に仮固定から本固定される際に、レセプタクル６が本体４に対して位置ずれすることを防止することができる。
【００４５】
次に、本発明に係る光源装置の作用及び効果について、図１１〜図１４を参酌して、説明する。
【００４６】
＜実施例＞
本発明に係る光源装置の実施例は、図１〜図４に示した上記実施形態に係る光源装置１である。具体的には、実施例は、図７〜図１１に示した上記製造方法で製造した光源装置１である。
【００４７】
＜比較例＞
それに対して、比較例に係る光源装置Ｘ１は、図１２に示すように、レセプタクル６を本体４の孔部４３ａの内部に収容し、レセプタクル６と本体４との間に接着剤８を介在させることで、レセプタクル６を本体４に固定している。そして、比較例に係る光源装置Ｘ１は、実施例に係る光源装置１と同様に、接着剤８に紫外線を照射し、レセプタクル６を本体４に対して位置決めして仮固定し、その後、加熱して、レセプタクル６を本体４に本固定して、製造されている。
【００４８】
なお、実施例に係る光源装置１の連結体７、レセプタクル６及び接着剤８と、比較例に係る光源装置Ｘ１のレセプタクル６、接着剤８及び本体４との仕様は、以下の通りである。
（連結体７）
・材質：ステンレス鋼（ＳＵＳ３０４）
・厚み：０．３ｍｍ
・ベース部７１の外径：５０ｍｍ
・ベース部７１の内径：３６ｍｍ
・突出部本体７２ａの突出方向の寸法：７．５ｍｍ
・接着部７２ｃの突出方向の寸法：１．０ｍｍ
・突出部本体７２ａとベース部７１との交差角度：１３０°
・突出部本体７２ａと接着部７２ｃとの交差角度：１２０°
・保持部７２ｂ同士の内接円の直径（復元時）：約７．５ｍｍ
（レセプタクル６）
・レセプタ本体６１の外径：９．５ｍｍ
（接着剤８）
・材質：エポキシ系紫外線硬化接着剤
（本体４）
・孔部４３ａの内径：１２．５ｍｍ
【００４９】
＜検証方法＞
実施例に係る光源装置１と比較例に係る光源装置Ｘ１とを、５０個ずつ製造し、レセプタクル６が仮固定から本固定される間に、レセプタクル６が位置ずれした量を測定する。そして、位置ずれ量が３０μｍ未満の場合は、良品と判定し、位置ずれ量が３０μｍ以上の場合は、不良品と判定する。
【００５０】
＜検証結果＞
図１３に示すように、実施例に係る光源装置１は、５０個全てが良品であり、不良率０％であるのに対して、図１４に示すように、比較例に係る光源装置Ｘ１は、５０個中３個が不良品であり、不良率６％である。したがって、実施例に係る光源装置１の不良率は、比較例に係る光源装置Ｘ１の不良率よりも、小さい。
【００５１】
しかも、位置ずれ量の平均においても、実施例に係る光源装置１は、９．７μｍであり、比較例に係る光源装置Ｘ１の１８．７μｍよりも小さくなっている。このように、実施例に係る光源装置１は、接着剤８を用いて、レセプタクル６を本体４に対して位置ずれさせることなく固定することができている。
【００５２】
以上より、本実施形態に係るファイバ接続ユニット１０を有する光源装置１によれば、連結体７は、本体４に固定されるベース部７１と、ベース部７１から突出する複数の突出部７２とを備えている。該突出部７２の保持部７２ｂは、レセプタクル６に接することにより、レセプタクル６を保持している。そして、該突出部７２の接着部７２ｃは、レセプタクル６との間に介在される接着剤８により、レセプタクル６に固定されている。
【００５３】
これにより、連結体７は、フェルール５２が挿入されるレセプタクル６を、本体４に連結している。したがって、接着剤８が、熱硬化することに伴って、収縮しようとしても、保持部７２ｂが、レセプタクル６に接することにより、レセプタクル６を保持しているため、レセプタクル６を位置ずれさせることなく本体４に固定することができる。
【００５４】
また、本実施形態に係るファイバ接続ユニット１０を有する光源装置１によれば、保持部７２ｂが凸状に形成されているため、保持部７２ｂに隣接して配置される部分は、レセプタクル６との間に隙間を有する。そして、当該隙間に接着剤８を入れることで、保持部７２ｂに隣接して配置される部分は、接着部７２ｃとなって、レセプタクル６と接着される。これにより、保持部７２ｂに隣接する接着部７２ｃがレセプタクル６に固定されるため、保持部７２ｂがレセプタクル６に対して位置ずれすることを抑制できる。
【００５５】
また、本実施形態に係るファイバ接続ユニット１０を有する光源装置１によれば、突出部７２が弾性を有して形成されているため、保持部７２ｂは、レセプタクル６に加圧して接する。これにより、突出部７２がレセプタクル６を挟持して保持することができる。また、突出部７２を弾性変形させることにより、レセプタクル６を本体４に対して所望の位置で位置合わせすることができるため、当該位置合わせの作業を簡素化することができる。
【００５６】
また、本実施形態に係るファイバ接続ユニット１０を有する光源装置１によれば、突出部７２が３つ備えられているため、レセプタクル６は、３つの保持部７２ｂに接されて保持されている。これにより、レセプタクル６を保持部７２ｂで確実に保持することができる。また、レセプタクル６を本体４に対して所望の位置及び角度で位置合わせすることができる。
【００５７】
なお、本発明は、上記した実施形態の構成に限定されるものではなく、また、上記した作用効果に限定されるものではない。また、本発明は、本発明の要旨を逸脱しない範囲内において種々変更を加え得ることは勿論である。例えば、下記する各種の変更例に係る構成や方法等を任意に選択して、上記した実施形態に係る構成や方法等に採用してもよいことは勿論である。
【００５８】
上記実施形態に係る光源装置１においては、連結体７は、一つの部材である、という構成である。しかしながら、本発明に係る光源装置は、斯かる構成に限られない。例えば、本発明に係る光源装置においては、図１５に示すように、連結体７は、一つのベース部７１に一つの突出部７２を有する複数（３つ）の部材からなる、という構成でもよい。
【００５９】
また、上記実施形態に係る光源装置１においては、突出部７２は、平板状部材を屈曲するようにして形成され、屈曲部分の頂部に保持部７２ｂを有する、という構成である。しかしながら、本発明に係る光源装置は、斯かる構成に限られない。例えば、本発明に係る光源装置においては、突出部７２は、図１６に示すように、平板状部材を屈曲するようにして形成される突出部本体７２ａと接着部７２ｃとを備え、さらに、平板状の接着部７２ｃから半球状に突出する保持部７２ｂを備える、という構成でもよい。
【００６０】
また、上記実施形態に係る光源装置１においては、突出部７２は、弾性を有して形成される、という構成である。しかしながら、本発明に係る光源装置は、斯かる構成に限られない。例えば、本発明に係る光源装置においては、突出部７２は、ヒンジ機構等によりベース部７１に接続されることにより、ベース部７１に対して可動に形成される、という構成でもよい。
【００６１】
また、上記実施形態に係る光源装置１においては、接着部７２ｃは、保持部７２ｂの先端側に隣接して配置されている、という構成である。しかしながら、本発明に係る光源装置は、斯かる構成に限られない。例えば、本発明に係る光源装置においては、接着部７２ｃは、保持部７２ｂの基端側に隣接して配置されている、という構成でもよく、また、保持部７２ｂの基端側及び先端側の両方に隣接して配置されている、という構成でもよい。
【００６２】
さらに、接着部７２ｃは、保持部７２ｂに対して、突出部７２の幅方向に隣接して配置されている、という構成でもよい。さらに、接着部７２ｃは、保持部７２ｂがレセプタクル６に対して位置ずれすることを防止又は抑制できる程度に、保持部７２ｂから離間して配置されている、という構成でもよい。
【００６３】
また、本発明においては、保持部７２ｂは、レセプタクル６に対して位置ずれすることを防止又は抑制できる程度に、レセプタクル６との間に僅かな接着剤８を介在してもよい。即ち、本発明の「レセプタクル６に接する保持部７２ｂ」とは、「レセプタクル６との間に接着剤８を介在することなく、レセプタクル６と接する保持部７２ｂ」を当然含み、さらに、「レセプタクル６に対して位置ずれすることを防止又は抑制できる程度に、レセプタクル６との間に僅かな接着剤８を介在してレセプタクル６と接する保持部７２ｂ」という概念も含んでいる。
【符号の説明】
【００６４】
１…光源装置、２…光源部、３…光学系、４…本体、５…光ファイバ体、６…レセプタクル、７…連結体、８…接着剤、１０…ファイバ接続ユニット、１１…（ネジ）部材、１２…把持具、１３…吐出装置、２１…半導体レーザ、２２…コリメータレンズ、３１…反射部材、３２…収束レンズ、４１…光源ホルダ、４１ａ…板状部、４１ｂ…板状部、４１ｃ…筒状部、４２…支持部、４３…レンズホルダ、４３ａ…孔部、５１…光ファイバ、５２…フェルール、５２ａ…フランジ部、５３…保護管、５４…スリーブ、５５…ファイバ係合部、６１…レセプタ本体、６２…レセプタ係合部、６３…挿入部、６４…光路部、７１…ベース部、７１ａ…開口部、７２…突出部、７２ａ…突出部本体、７２ｂ…保持部、７２ｃ…接着部
【図１】
0005994806.tif 000002
【図２】
0005994806.tif 000003
【図３】
0005994806.tif 000004
【図４】
0005994806.tif 000005
【図５】
0005994806.tif 000006
【図６】
0005994806.tif 000007
【図７】
0005994806.tif 000008
【図８】
0005994806.tif 000009
【図９】
0005994806.tif 000010
【図１０】
0005994806.tif 000011
【図１１】
0005994806.tif 000012
【図１２】
0005994806.tif 000013
【図１３】
0005994806.tif 000014
【図１４】
0005994806.tif 000015
【図１５】
0005994806.tif 000016
【図１６】
0005994806.tif 000017